(57)【特許請求の範囲】
【請求項１】
排水口に流入した異物を捕集し、捕集した異物を切断する切断部を有する洗浄部を備え、
前記洗浄部は排水管と接続され、
前記切断部は、
回転する回転刃と、
前記回転刃と対向する位置に設けられ、固定刃を有する捕集部と、
前記回転刃を回転駆動する駆動部と、を備え、
前記回転刃を回転駆動して前記回転刃と前記固定刃とで前記捕集部にて捕集した異物を切断するものであり、
前記捕集部は、前記回転刃の上方に上方捕集部を備え、
前記上方捕集部は、
放射状に設けられた複数の上方固定刃によって構成され、隣り合う前記上方固定刃間には上方開口部が形成されており、
前記上方固定刃は、前記上方開口部から前記回転刃側にはみ出した異物を前記回転刃の上面とで切断するものであり、
前記回転刃の上面は、平面視において前記上方固定刃に対して傾斜させて設けられている
ことを特徴とする洗浄装置。
【請求項２】
前記洗浄部は、排水口の下方に設けられている
ことを特徴とする請求項１に記載の洗浄装置。
【請求項３】
前記捕集部は、前記回転刃の側方に側方捕集部を備え、
前記側方捕集部は、
前記回転刃の外周側側面の回転軌道に沿って一定間隔毎に設けられた複数の側方固定刃によって構成され、隣り合う前記側方固定刃間には側方開口部が形成されており、
前記側方固定刃は、前記側方開口部から前記回転刃側にはみ出した異物を前記回転刃の外周側側面とで切断するものである
ことを特徴とする請求項１または２に記載の洗浄装置。
【請求項４】
前記側方固定刃は、正面視において前記回転刃の外周側側面に対して傾斜させて設けられている
ことを特徴とする請求項３に記載の洗浄装置。
【請求項５】
排水口に流入した異物を捕集し、捕集した異物を切断する切断部を有する洗浄部を備え、
前記洗浄部は排水管と接続され、
前記切断部は、
回転する回転刃と、
前記回転刃と対向する位置に設けられ、固定刃を有する捕集部と、
前記回転刃を回転駆動する駆動部と、を備え、
前記回転刃を回転駆動して前記回転刃と前記固定刃とで前記捕集部にて捕集した異物を切断するものであり、
前記捕集部は、前記回転刃の上方に上方捕集部を備え、
前記上方捕集部は、
放射状に設けられた複数の上方固定刃によって構成され、隣り合う前記上方固定刃間には上方開口部が形成されており、
前記上方固定刃は、前記上方開口部から前記回転刃側にはみ出した異物を前記回転刃の上面とで切断するものであり、
前記捕集部は、前記回転刃の側方に側方捕集部を備え、
前記側方捕集部は、
前記回転刃の外周側側面の回転軌道に沿って一定間隔毎に設けられた複数の側方固定刃によって構成され、隣り合う前記側方固定刃間には側方開口部が形成されており、
前記側方固定刃は、前記側方開口部から前記回転刃側にはみ出した異物を前記回転刃の外周側側面とで切断するものであり、
前記切断部は、
前記回転刃の下面側に異物の流路に対して垂直方向に設けられた底板を備え、
前記底板は、
前記上方開口部を通過した異物を受けた後、前記側方捕集部に誘導するものである
ことを特徴とする洗浄装置。
【請求項６】
前記側方開口部は前記排水管と連通している
ことを特徴とする請求項３〜５のいずれか一項に記載の洗浄装置。
【請求項７】
前記洗浄部は前記切断部よりも上側に散水口を有し、
前記散水口から前記洗浄部の内部に水を散水させる散水部を備えた
ことを特徴とする請求項１〜６のいずれか一項に記載の洗浄装置。
【請求項８】
前記散水部は、
オゾンを生成するオゾン水生成手段、または電解水を生成する電解水生成手段を備え、
前記オゾン水生成手段により生成されたオゾン水、または前記電解水生成手段により生成された電解水を、前記散水口から散水させる
ことを特徴とする請求項７に記載の洗浄装置。
【請求項９】
前記洗浄部を制御する制御部を備えた
ことを特徴とする請求項１〜８のいずれか一項に記載の洗浄装置。
【請求項１０】
前記排水口に配置される排水口カバーを検知する排水口カバー検知手段を備え、
前記制御部は、
前記排水口カバー検知手段により、前記排水口カバーが前記排水口に配置されていないと検知した場合、
前記切断部を停止状態にする
ことを特徴とする請求項９に記載の洗浄装置。
【請求項１１】
排水口に流入した異物を捕集し、捕集した異物を切断する切断部を有する洗浄部を備え、
前記洗浄部は排水管と接続され、
浴室に用いられる場合において、
前記切断部は、洗い場からの排水と浴槽からの排水との合流点よりも下流側に設けられている
ことを特徴とする洗浄装置。
【請求項１２】
前記洗浄部を制御する制御部を備えた
ことを特徴とする請求項１１に記載の洗浄装置。
【請求項１３】
前記浴室の出入り口に設けられた開閉可能な出入口ドアの開閉状態を検知するドア開閉検知手段を備え、
前記制御部は、前記ドア開閉検知手段により前記出入口ドアの閉状態を検知したら前記切断部を停止状態にする
ことを特徴とする請求項１２に記載の洗浄装置。
【請求項１４】
前記浴室内の照明の点灯状態を検知する点灯状態検知手段を備え、
前記制御部は、前記点灯状態検知手段により前記浴室内の照明が点灯していることを検知したら前記切断部を停止状態にする
ことを特徴とする請求項１２または１３に記載の洗浄装置。
【請求項１５】
前記浴室内の人の有無を検知する人検知手段を備え、
前記制御部は、前記人検知手段により前記浴室内に人が居ることを検知したら前記切断部を停止状態にする
ことを特徴とする請求項１２〜１４のいずれか一項に記載の洗浄装置。
【請求項１６】
前記洗浄部を操作する操作部を備え、
前記操作部は前記浴室の外部に設けられている
ことを特徴とする請求項１１〜１５のいずれか一項に記載の洗浄装置。
【請求項１７】
前記操作部は、前記切断部が動作すること、または動作していることを報知する報知手段を備えた
ことを特徴とする請求項１６に記載の洗浄装置。
【発明の詳細な説明】
【技術分野】
【０００１】
本発明は、浴室および洗面台などの排水口を洗浄する洗浄装置に関するものである。
【背景技術】
【０００２】
従来、浴室および洗面台などの排水口の汚損を防いだ洗浄装置が提案されている（たとえば、特許文献１参照）。
特許文献１に係る洗浄装置は、浴室および洗面台などの排水口に設けられた容器に洗浄剤供給手段から人体の組織を分解する酵素を含んだ洗浄剤を供給する。そして、容器の上方に設けられた異物除去部材を通過して容器に溜まった、および異物除去部材に捕集された、髪の毛などの微細な異物に洗浄剤を接触させ、異物を分解し、除去することにより、排水口の汚損を防いでいる。
【先行技術文献】
【特許文献】
【０００３】
【特許文献１】特開２００１−２７９７５６号公報（たとえば、［０００７］〜［０００８］、図１参照）
【発明の概要】
【発明が解決しようとする課題】
【０００４】
特許文献１に係る洗浄装置は、微細な異物を分解し、除去するために使用される洗浄剤は消耗品であるため、なくなったら洗浄剤を洗浄剤供給手段に補充する必要があり、手間とランニングコストがかかるという課題があった。また、洗浄剤に含まれる酵素は所定の温度以上で分解作用を発揮することから、洗浄剤を所定の温度以上に暖める必要があるため、エネルギーを消費し、昇温に時間がかかるという課題があった。
【０００５】
本発明は、以上のような課題を考慮してなされたもので、使用者の手間を軽減し、ランニングコストを抑えて排水口を洗浄することができる洗浄装置を提供することを目的としている。
【課題を解決するための手段】
【０００６】
本発明に係る洗浄装置は、排水口に流入した異物を捕集し、捕集した異物を切断する切断部を有する洗浄部を備え、前記洗浄部は排水管と接続され、前記切断部は、回転する回転刃と、前記回転刃と対向する位置に設けられ、固定刃を有する捕集部と、前記回転刃を回転駆動する駆動部と、を備え、前記回転刃を回転駆動して前記回転刃と前記固定刃とで前記捕集部にて捕集した異物を切断するものであり、前記捕集部は、前記回転刃の上方に上方捕集部を備え、前記上方捕集部は、放射状に設けられた複数の上方固定刃によって構成され、隣り合う前記上方固定刃間には上方開口部が形成されており、前記上方固定刃は、前記上方開口部から前記回転刃側にはみ出した異物を前記回転刃の上面とで切断するものであり、前記回転刃の上面は、平面視において前記上方固定刃に対して傾斜させて設けられているものである。
【発明の効果】
【０００７】
本発明に係る洗浄装置によれば、排水口カバーの開口部を通過した異物を捕集し、捕集した異物を切断部により切断し、その切断した異物を排水管に流出させることにより除去することができるため、使用者の手間を軽減し、ランニングコストを抑えて排水口を洗浄することができる。
【図面の簡単な説明】
【０００８】
【図１】本発明の実施の形態に係る洗浄装置が設置された浴室を下側から見た斜視図である。
【図２】本発明の実施の形態に係る洗浄装置が設置された浴室を上側から見た斜視図である。
【図３】本実施の形態に係る洗浄装置が設置された浴室の要部を示す断面模式図である。
【図４】本実施の形態に係る洗浄装置の制御部の機能ブロック図である。
【図５】本実施の形態に係る洗浄装置の要部（上方捕集部なし）を上側から見た斜視図である。
【図６】本実施の形態に係る洗浄装置の要部（上方捕集部あり）を上側から見た斜視図である。
【図７】本実施の形態に係る洗浄装置の上方固定刃および上方回転刃の平面模式図である。
【図８】本実施の形態に係る洗浄装置の上方固定刃および上方回転刃の正面模式図である。
【図９】本実施の形態に係る洗浄装置の側方固定刃および側面回転刃の平面模式図である。
【図１０】本実施の形態に係る洗浄装置の側方固定刃および側面回転刃の正面模式図である。
【図１１】本実施の形態に係る洗浄装置の動作フローを示す図である。
【発明を実施するための形態】
【０００９】
以下、本発明の実施の形態を図面に基づいて説明する。なお、以下に説明する実施の形態によって本発明が限定されるものではない。また、以下の図面では各構成部材の大きさの関係が実際のものとは異なる場合がある。なお、本実施の形態では、洗浄装置を浴室の排水口に使用する場合について説明するが、それに限定されず、洗浄装置を洗面台などに使用することもできる。
【００１０】
実施の形態．
図１は、本発明の実施の形態に係る洗浄装置が設置された浴室１０を下側から見た斜視図、図２は、本発明の実施の形態に係る洗浄装置が設置された浴室１０を上側から見た斜視図、図３は、本実施の形態に係る洗浄装置が設置された浴室１０の要部を示す断面模式図である。
図１および図２に示す浴室１０は、一戸建て住宅、集合住宅、ホテルなどに設置される。なお、浴室１０は、浴室ユニットの場合が多いが、ユニット化されていなくてもよい。
浴室１０の内部には、浴槽１１、洗い場の床１２、シャワー１３などが設けられている。
【００１１】
図２および図３に示すように、洗い場の床１２には、人が体を洗う際にシャワー１３などから流出する水、および人から抜け落ちた髪の毛などの微細な異物が流入する排水口１６ａが設けられており、排水口１６ａにはそれを覆うように排水口カバー１６が着脱可能に配置されている。
なお、排水口カバー１６は、その側面に溝を有し、排水口カバー１６を配置した際に洗い場の床１２との間に水および所定の大きさ以下の異物を通過させる隙間が形成されるようにしてもよい。そうすることで、洗浄装置が動作時の異物の飛散を抑制するとともに、異物や洗浄装置を人の視線から遮り、不可視とすることで意匠性を高めることができる。また、排水口カバー１６は、水および所定の大きさ以下の異物を通過させる開口部（図示せず）を複数形成したものでもよい。そうすることで、排水口カバー１６に異物を捕集させることができる。
【００１２】
また、図３に示すように、浴槽１１の底部には、人が浴槽１１に浸かる際に溜めた水、および人から抜け落ちた髪の毛などの微細な異物が流入する排水口１７ａが設けられており、排水口１７ａにはそれを塞ぐ風呂栓１７が着脱可能に配置されている。
【００１３】
本実施の形態に係る洗浄装置は、排水口１６ａおよび排水口１７ａから流入した異物を切断して下流側排水管１９に流出させる洗浄部２０と、洗浄装置を操作する操作部５０と、出入口ドア１５の開閉を検知するドア開閉検知手段６０と、排水口カバー１６の有無を検知する排水口カバー検知手段７０と、洗浄装置を制御する制御部８０と、で構成されている。なお、洗浄部２０は、水とともに流入する異物を捕集して切断する切断部３０と、オゾン水を生成して洗浄部２０内にオゾン水を散水する散水部４０と、を備えている。
【００１４】
図４は、本実施の形態に係る洗浄装置の制御部８０の機能ブロック図である。
制御部８０は、操作部５０と通信を行う通信部８１と、ドア開閉検知手段６０および排水口カバー検知手段７０からの情報が入力される検知部８２と、通信部８１で通信した情報や検知部８２に入力された情報などを記憶する記憶部８３と、切断部３０を制御する切断制御部８４と、散水部４０を制御する散水制御部８５と、を備えている。
【００１５】
図１〜図３に示すように、洗浄部２０は、排水口１７ａの下方に設けられ、その外郭がケーシング２１で構成されている。また、ケーシング２１の内部には、排水口１６ａおよび排水口１７ａからケーシング２１の内部に流入した異物を切断する切断部３０が設けられている。
【００１６】
切断部３０は、ケーシング２１の下部に設けられ、ケーシング２１の底部に設けられた駆動モータ３１と、駆動モータ３１によって下方から回転可能に軸支され、回転刃３３を有する略円形状の回転板３２と、回転板３２の上方に設けられ、上方固定刃３６を有する上方捕集部３５と、回転板３２の側方に設けられ、側方固定刃３８を有する側方捕集部３７と、で構成されている。
【００１７】
なお、駆動モータ３１は、本発明の「駆動部」に相当する。
【００１８】
また、洗浄部２０は排水口１６ａの下方に設けられているため、排水口１６ａに手を入れて洗浄部２０に対する作業をしやすく、洗浄装置の洗浄部２０のメンテナンスを容易に行うことができる。ただし、それに限定されず、洗浄部２０を排水口１６ａの下方以外に設けてもよく、その場合は設置の自由度を高めることができる。
【００１９】
図１に示すように、操作部５０は、浴室１０の外部の側壁面１４に設けられており、この操作部５０の操作内容に応じて洗浄部２０の切断部３０および散水部４０が動作する。なお、操作部５０を浴室１０の外部に設けているのは、入浴時の人が体を洗っている時などに、操作部５０を誤操作してしまい、切断部３０が動作してしまうのを回避するためである。
【００２０】
また、操作部５０にはＬＥＤやスピーカーなどの報知手段５１が設けられており、切断部３０が動作したら通信部８１から操作部５０に対して命令を送り、報知手段５１により切断部３０が動作していることを報知させる。報知手段５１により報知することで、人が浴室１０内に入らないよう促すことができ、また、人が浴室１０外に出るよう促すことができる。
【００２１】
図１に示すように、ドア開閉検知手段６０は、たとえば赤外線センサなどで構成され、浴室１０の外部の側壁面１４に設けられた開閉可能な出入口ドア１５の近傍に設けられている。
切断制御部８４は、ドア開閉検知手段６０から検知部８２に入力された情報により、出入口ドア１５が閉じていることを検知した場合は、切断部３０を停止状態にして動作しないようにする。出入口ドア１５が閉じている場合は浴室１０が使用中である可能性が高く、そうすることで、浴室１０の使用中に切断部３０が動作してしまうのを回避することができる。また、このとき、報知手段５１により報知して、出入口ドア１５を閉めるよう促すとよい。
【００２２】
図２および図３に示すように、排水口カバー検知手段７０は、たとえば赤外線センサなどで構成され、排水口１６ａの近傍に設けられている。
切断制御部８４は、排水口カバー検知手段７０から検知部８２に入力された情報により、排水口１６ａに排水口カバー１６が配置されていないことを検知した場合は、切断部３０を停止状態にして動作しないようにする。
【００２３】
そうするのは、排水口１６ａに排水口カバー１６が配置されていない状態で切断部３０が動作してしまうのを回避するためであり、切断された異物が浴室１０内に飛散するのを抑制することができる。また、このとき、報知手段５１により報知して、排水口１６ａに排水口カバー１６を配置するよう促すとよい。
【００２４】
なお、ドア開閉検知手段６０に加えて、またはドア開閉検知手段６０に代えて、浴室１０が使用中であるかどうかを検知する手段を設けてもよい。
たとえば光電センサなどで構成され、浴室１０内の照明の点灯状態を検知する点灯状態検知手段（図示せず）を設け、切断制御部８４は、点灯状態検知手段から検知部８２に入力された情報により、浴室１０内の照明が点灯していることを検知した場合は、切断部３０を停止状態にして動作しないようにしてもよい。
【００２５】
浴室１０内の照明が点灯している場合は浴室１０が使用中である可能性が高く、そうすることで、浴室１０の使用中に切断部３０が動作してしまうのを回避することができる。また、このとき、報知手段５１により報知して、浴室１０内の照明を消して浴室１０外に出るよう促すとよい。
【００２６】
また、赤外線センサなどで構成され、浴室１０内の人の有無を検知する人検知手段（図示せず）を設け、切断制御部８４は、人検知手段から検知部８２に入力された情報により、浴室１０内に人が居ることを検知した場合は、切断部３０を停止状態にして動作しないようにしてもよい。そうすることで、浴室１０の使用中に切断部３０が動作してしまうのを回避することができる。また、このとき、報知手段５１により報知して、浴室１０外に出るよう促すとよい。
【００２７】
また、切断部３０の状態を検知する手段を設けてもよい。
たとえば、音センサなどで構成され、浴室１０内の音を検知する音検知手段（図示せず）を設け、切断制御部８４は、音検知手段から検知部８２に入力された情報により、切断部３０の動作中に浴室１０内に異音が発生していることを検知した場合は、切断部３０を停止状態にして動作しないようにしてもよい。
【００２８】
切断部３０の動作中に浴室１０内に異音が発生している場合は、切断部３０が故障している、または金属などの切断できないものを切断している可能性が高く、そうすることで、切断部３０の故障を回避、または故障状態の悪化を回避することができる。また、このとき、報知手段５１により報知して、メンテナンスを促すようにするとよい。
【００２９】
また、電流センサなどで構成され、切断部３０の駆動モータ３１に流れる電流を検知する電流検知手段（図示せず）を設け、切断制御部８４は、電流検知手段から検知部８２に入力された情報により、切断部３０の動作中に駆動モータ３１の電流が所定値よりも大きいことを検知した場合は、切断部３０を停止状態にして動作しないようにしてもよい。
【００３０】
駆動モータ３１の電流が所定値よりも大きい場合は、切断部３０が故障している、または金属などの切断できないものを切断している可能性が高く、そうすることで、切断部３０の故障を回避、または故障状態の悪化を回避することができる。また、このとき、報知手段５１により報知して、メンテナンスを促すようにするとよい。
【００３１】
図３に示すように、ケーシング２１の上部には、洗い場の床１２に設けられた排水口１６ａと連通した第一開口部２１ａが形成されており、排水口１６ａに流入した水と異物は、第一開口部２１ａからケーシング２１の内部に流入するようになっている。
また、ケーシング２１の側面で上方捕集部３５よりも上側には、第二開口部２１ｂが形成されており、浴槽１１の底部に設けられた排水口１７ａと連通した浴槽側排水管１８と接続されている。そして、排水口１７ａに流入した水と異物は、浴槽側排水管１８を介して第二開口部２１ｂからケーシング２１の内部に流入するようになっている。
【００３２】
ケーシング２１の側面で側方捕集部３７よりも下側には、第三開口部２１ｃが形成されており、下流側排水管１９と接続されている。
第一開口部２１ａから流入した水と異物、および第二開口部２１ｂから流入した水と異物は、切断部３０により切断された後、第三開口部２１ｃから下流側排水管１９に水とともに排出されるようになっている。なお、下流側排水管１９には、臭いや害虫の発生を防止するトラップ１９ａが設けられている。
【００３３】
また、側方開口部３８ａの下方かつ駆動モータ３１の上方には、第三開口部２１ｃに向かって下り傾斜させた誘導板２２が設けられている。この誘導板２２は、側方開口部３８ａから流出した水および異物を第三開口部２１ｃに誘導しつつ、駆動モータ３１に水および異物が付着するのを回避することができるようになっている。そのため、駆動モータ３１が故障するのを回避することができる。
【００３４】
図３に示すように、散水部４０は、切断部３０よりも上側に設けられ、オゾン水生成手段４１と、たとえば電磁弁などで構成された弁手段（図示せず）と、で構成されている。
オゾン水生成手段４１は、ケーシング２１の外部の側面に設けられ、水道配管（図示せず）により供給された水から洗浄力の高いオゾン水を生成する。また、オゾン水生成手段４１には、生成したオゾン水を流出させる流出口（図示せず）が設けられており、その流出口（図示せず）からオゾン水を流出させる。
【００３５】
ケーシング２１の側面で上方捕集部３５よりも上側には、散水口２１ｄが形成されている。この散水口２１ｄは、オゾン水生成手段４１の流出口と連通しており、オゾン水生成手段４１で生成されたオゾン水が散水口２１ｄからケーシング２１内に散水されるようになっている。
【００３６】
また、弁手段は、オゾン水生成手段４１の流出口から散水口２１ｄにオゾン水が流れる流路上に設けられている。この弁手段が開状態になるとオゾン水が流れる流路が開かれて散水口２１ｄからオゾン水が散水され、この弁手段が閉状態になるとオゾン水が流れる流路が閉じられて散水口２１ｄからのオゾン水の散水が止まるようになっている。
【００３７】
散水口２１ｄからオゾン水をケーシング２１内に散水することにより、ケーシング２１内を洗浄しつつ、ケーシング２１内に付着した水と異物を、切断部３０を介して下流側排水管１９に洗い流すことができるようになっている。そのため、洗浄部２０の洗浄効果を高めることができる。
【００３８】
なお、ケーシング２１内を均等に洗浄し、ケーシング２１内の付着した水と異物を均等に洗い流せるように、散水口２１ｄを所定の間隔で複数形成するとよい。
また、本実施の形態ではオゾン水生成手段４１としたが、それに限定されず、たとえば電解水を生成する電解水生成手段など、洗浄力の高い水を生成する手段であればよい。
また、オゾン水生成手段４１を設けずに、水道配管（図示せず）により供給された水をそのまま散水口２１ｄから散水するようにしてもよい。そうすることで、洗浄力を高める代わりにコストを抑えることができる。
【００３９】
図５は、本実施の形態に係る洗浄装置の要部（上方捕集部３５なし）を上側から見た斜視図、図６は、本実施の形態に係る洗浄装置の要部（上方捕集部３５あり）を上側から見た斜視図である。
図５に示すように、回転板３２は、回転刃３３と底板３４とで構成され、略円形状の底板３４の上面に回転刃３３が複数（本実施の形態では３つ）設けられている。この回転刃３３は、回転中心である底板３４の中央部から外周方向に向かって設けられている。なお、回転刃３３の上面を上面回転刃３３ａ、外周側側面を側面回転刃３３ｂと称する。また、底板３４の下面を駆動モータ３１によって回転可能に軸支されており、駆動モータ３１が駆動することによって、底板３４に設けられた回転刃３３が回転する。なお、回転刃３３を常時正転させるようにしてもよいし、一定時間毎に正転と反転とを繰り返すようにしてもよい。
【００４０】
なお、本実施の形態では、回転板３２として回転刃３３と底板３４とが一体に設けられた構成としたが、それに限定されず、回転刃３３と底板３４とが別体として設けられた構成としてもよい。
なお、別体の構成とする場合は、回転刃３３と底板３４との間に異物が挟まらないよう、できるだけ隙間が空かないようにするとよい。
【００４１】
図６に示すように、回転刃３３の上方かつ上面回転刃３３ａと対向する位置には、着脱可能な上方捕集部３５が配置されている。この上方捕集部３５は、放射状に設けられた複数の上方固定刃３６によって構成されており、隣り合う上方固定刃３６間には上方開口部３６ａが形成されている。この上方開口部３６ａは、第一開口部２１ａから流入した水と異物、および第二開口部２１ｂから流入した水と異物のうち、水と所定の大きさ以下の異物とを通過させる大きさになっている。そして、上方開口部３６ａより大きく、上方開口部３６ａを通過できなかった異物が、上方捕集部３５により捕集されるようになっている。
【００４２】
図７は、本実施の形態に係る洗浄装置の上方固定刃３６および上面回転刃３３ａの平面模式図、図８は、本実施の形態に係る洗浄装置の上方固定刃３６および上面回転刃３３ａの正面模式図である。なお、図８中の矢印は、回転刃３３の回転方向を示している。
図７および図８に示すように、上面回転刃３３ａは、駆動モータ３１によって駆動され、平面視において各上方固定刃３６と所定のタイミングで交差しながら回転する。そして、上方捕集部３５によって捕集され、一部が上方開口部３６ａから回転刃３３側（下側）にはみ出した異物は、上面回転刃３３ａと上方固定刃３６とが平面視において交差する際にそれらによって（挟まれ、）切断される。
【００４３】
図７のＸに示すように、平面視において上面回転刃３３ａは上方固定刃３６に対して傾斜させて設けられており、上面回転刃３３ａは上方固定刃３６と正面視において交差する際に、上方固定刃３６に対して鋭角に交差するようになっている。そのため、異物を切断しやすく、駆動モータ３１、上面回転刃３３ａ、および上方固定刃３６の負荷を軽減でき、それらの寿命を長くすることができる。
【００４４】
図５に示すように、回転板３２の側方には、その周方向（側面回転刃３３ｂの回転軌道）に沿って側方捕集部３７が設けられている。この側方捕集部３７は、側面回転刃３３ｂと対向する位置に、一定間隔毎に設けられた側方固定刃３８によって構成されており、隣り合う側方固定刃３８間には側方開口部３８ａが形成されている。この側方開口部３８ａは少なくとも底板３４と同じ位置からその上側にかけて形成されており、底板３４に溜まった水や異物が側方開口部３８ａから流出するようになっている。
【００４５】
ここで、底板３４は、上方開口部３６ａを通過した水と異物を受けた後、それらを側方捕集部３７に誘導する役割を果たしている。
【００４６】
また、側方開口部３８ａの開口面積は上方開口部３６ａの開口面積より小さく、上方開口部３６ａを通過してきた水および異物のうち、水と所定の大きさ以下の異物を通過させる大きさになっている。そして、側方開口部３８ａより大きく、側方開口部３８ａを通過できなかった異物が、側方捕集部３７により捕集されるようになっている。なお、側方捕集部３７はケーシング２１と一体に設けてもよいし、別体として設けてもよい。
【００４７】
図９は、本実施の形態に係る洗浄装置の側方固定刃３８および側面回転刃３３ｂの平面模式図、図１０は、本実施の形態に係る洗浄装置の側方固定刃３８および側面回転刃３３ｂの正面模式図である。なお、図１０中の矢印は、回転刃３３の回転方向を示している。
図９および図１０に示すように側面回転刃３３ｂは、駆動モータ３１によって駆動され、正面視において各側方固定刃３８と所定のタイミングで交差しながら回転する。そして、側方捕集部３７によって捕集され、一部が側方開口部３８ａから回転刃３３側（内側）に異物は、正面視において側面回転刃３３ｂと側方固定刃３８とが交差する際にそれらによって（挟まれ、）切断される。
【００４８】
図１０のＹに示すように、正面視において側方固定刃３８は側面回転刃３３ｂに対して傾斜させて設けられており、側面回転刃３３ｂは側方固定刃３８と正面視において交差する際に、側方固定刃３８に対して鋭角に交差するようになっている。そのため、異物を切断しやすく、駆動モータ３１、側面回転刃３３ｂ、および側方固定刃３８の負荷を軽減でき、それらの寿命を長くすることができる。
【００４９】
以上のように、上方開口部３６ａを有する上方捕集部３５に捕集された異物を上面回転刃３３ａと上方固定刃３６とで切断して細かくした後、上方開口部３６ａの開口面積よりも小さい側方開口部３８ａを有する側方捕集部３７で捕集された異物を、側面回転刃３３ｂと側方固定刃３８とで切断してさらに細かくする。そうすることで、ケーシング２１外に排出されやすくなり、洗浄部２０内に異物が溜まるのを抑制することができる。
【００５０】
本実施の形態に係る洗浄装置は、人から抜け落ちた髪の毛などの長い紐状の異物を細かく切断することができ、異物が回転刃３３などへ絡みついて洗浄部２０内に溜まるのを抑制することができる。そのため、髪の毛などの長い紐状の異物が発生する浴室１０の排水口に使用するのに適した構成となっている。
【００５１】
図１１は、本実施の形態に係る洗浄装置の動作フローを示す図である。
次に、本実施の形態に係る洗浄装置の動作について、図１１に示す動作フローを用いて説明する。
まず、操作部５０の電源を投入し、操作部５０に設けられている洗浄ボタン（図示せず）を押下し、洗浄指示をする（Ｓ１０）。制御部８０は、操作部５０から洗浄指示の情報を取得したら、出入口ドア１５が閉じられているかどうか、および、排水口１６ａに排水口カバー１６が配置されているかどうかを検知し、洗浄開始の準備ができているかどうかを判断する（Ｓ１１）。このとき、出入口ドア１５が閉じられていない、または排水口１６ａに排水口カバー１６が配置されていないことを検知したら、洗浄開始の準備ができていないと判断し、報知手段５１により洗浄開始の準備をするよう（つまり、出入口ドア１５を閉じ、排水口１６ａに排水口カバー１６を配置するよう）報知する（Ｓ１２）。
【００５２】
そして、出入口ドア１５が閉じられていること、および排水口１６ａに排水口カバー１６が配置されていることを検知したら、洗浄開始の準備ができていると判断し、洗浄を開始する（Ｓ１３）。このとき、操作部５０に設けた報知手段５１により、洗浄を開始することおよび開始したことを報知する。
なお、報知手段５１により洗浄開始の準備をするよう報知した（Ｓ１２）後、使用者に、洗浄開始の準備が終わったら洗浄ボタン（図示せず）を再度押下させるようにしてもよい。
【００５３】
洗浄を開始したら、散水部４０および切断部３０を動作させる。散水部４０では、オゾン水生成手段４１でオゾン水を生成し、弁手段を開状態にして散水口２１ｄからオゾン水をケーシング２１内に散水する。また、切断部３０では、駆動モータ３１によって回転刃３３を回転駆動する。
【００５４】
第一開口部２１ａから流入した水と異物、および第二開口部２１ｂから流入した水と異物は、上方捕集部３５の上方で合流後、散水による水の流れおよび重力により上方捕集部３５に落下する、そして、上方開口部３６ａを通過できなかった異物は、上方捕集部３５によって捕集され、一部が上方開口部３６ａから回転刃３３側（下側）にはみ出した異物は、上面回転刃３３ａと上方固定刃３６とが平面視において交差する際にそれらによって（挟まれ、）切断される。
【００５５】
その後、切断された異物は、散水による水の流れおよび重力により底板３４に落下する。なお、上方捕集部３５によって捕集されずに上方開口部３６ａを通過した水と異物は、直接底板３４に落下する。
【００５６】
底板３４に落下した水と異物は、散水による水の流れおよび遠心力により側方固定刃３８側に移動する。そして、側方開口部３８ａを通過できなかった異物は、側方捕集部３７によって捕集され、一部が側方開口部３８ａから回転刃３３側（内側）にはみ出した異物は、側面回転刃３３ｂと側方固定刃３８とが正面視において交差する際にそれらによって（挟まれ、）切断される。
【００５７】
その後、切断された異物は、散水による水の流れ、重力、および遠心力により誘導板２２に落下する。その後、誘導板２２によって第三開口部２１ｃに誘導され、そこから下流側排水管１９に水とともに排出するようになっている。なお、側方捕集部３７によって捕集されずに側方開口部３８ａを通過した水と異物は、直接誘導板２２に落下する。
【００５８】
洗浄中は、出入口ドア１５が閉じられているかどうか、排水口１６ａに排水口カバー１６が配置されているかどうか、切断部３０の状態が正常かどうか、などを検知して洗浄を継続して大丈夫な状態であるかどうかを判断する（Ｓ１４）。
【００５９】
そして、洗浄を継続して大丈夫な状態のまま、洗浄を開始して予め設定された時間Ｔ１が経過したら（Ｓ１５のＹｅｓ）、散水部４０および切断部３０を停止させ、洗浄を正常終了する。なお、時間Ｔ１が経過する前であっても、出入口ドア１５が開けられた、排水口１６ａに排水口カバー１６が配置されていなくなった、切断部３０の状態が異常になった、などを検知して洗浄を継続して大丈夫な状態ではないと判断したら（Ｓ１４のＮｏ）、報知手段５１により異常終了したこと（およびその内容）を報知して、散水部４０および切断部３０を停止させ、洗浄を異常終了する。
【００６０】
なお、本実施の形態では、予め設定された時間Ｔ１が経過したら洗浄終了するようにしたが、それに限定されず、たとえば、汚れを検知する汚れ検知手段、重さで異物の量を検知する異物量検知手段、電流量で異物の量を検知する電流検知手段などを設け、それらの検知情報に基づいて洗浄を正常終了するようにしてもよい。
【００６１】
また、洗浄が正常終了したら、予め決められた時間経過後、操作部５０の電源が自動で切れるようにしてもよい。そうすることで、操作部５０の電源の切り忘れを防止することができる。
【００６２】
なお、洗浄開始後の散水部４０および切断部３０の動作について、本実施の形態では、散水部４０および切断部３０を同時に動作させて時間Ｔ１が経過したら同時に停止させるように制御したが、それに限定されるものではない。
たとえば、切断部３０を予め設定された時間Ｔ２動作させた後に、切断部３０を停止させて散水部４０を動作させるように制御してもよい。つまり、先に切断部３０で異物を切断した後、散水部４０で洗浄部２０内を洗浄するとともに異物を洗い流すようにしてもよい。
【００６３】
また、散水部４０を予め設定された時間Ｔ３動作させた後に、散水部４０を停止させて切断部３０を動作させ、予め設定された時間Ｔ４経過したら切断部３０を停止させて、散水部４０を動作させるように制御してもよい。つまり、まず散水部４０で洗浄部２０内を洗浄するとともに、異物を洗い流して切断部３０に移動させてから（上方捕集部３５および側方捕集部３７に捕集させてから）、切断部３０で異物を切断し、最後に、散水部４０で洗浄部２０内を洗浄するとともに異物を洗い流すようにしてもよい。
【００６４】
上記のように制御することで、散水部４０および切断部３０を同時に動作させる場合に比べ、切断部３０および散水部４０の動作時間を減らすことができ、水とエネルギー消費を抑えることができる。
【００６５】
以上より、本実施の形態に係る洗浄装置によれば、上方捕集部３５および側方捕集部３７の２箇所で異物を捕集して切断し、２段階に細かくすることにより、異物が洗浄部２０から排出されやすくなり、異物が洗浄部２０内に溜まるのを抑制することができる。そのため、使用者が洗浄部２０内の溜まった異物を手で除去するという手間を軽減し、また、分解する酵素を含んだ洗浄剤を使用することなく異物を除去することができるため、ランニングコストを抑えて排水口１６ａを洗浄することができる。
【００６６】
また、洗浄力の高いオゾン水をオゾン水生成手段４１で生成し、洗浄部２０内に散水するため、水と異物が洗浄部２０内に溜まるのを抑制するとともに、洗浄部２０内を手で清掃する手間を省くことができる。
【００６７】
また、洗浄部２０は排水口１６ａの下方に設けられているため、洗浄装置の洗浄部２０のメンテナンスを容易に行うことができる。
【００６８】
また、操作部５０は浴室１０の外部に設けられているため、入浴時の人が体を洗っている時などに、操作部５０を誤操作してしまい、切断部３０が動作してしまうのを回避することができる。
【００６９】
また、制御部８０は、切断部３０を動作させたら操作部５０に設けられた報知手段５１により切断部３０が動作していることを報知させるため、人が浴室１０内に入らないよう促すことができ、また、人が浴室１０外に出るよう促すことができる。
【００７０】
また、制御部８０は、出入口ドア１５が閉じていることを検知した場合は、切断部３０を停止状態にして動作しないようにするため、浴室１０の使用中に切断部３０が動作してしまうのを回避することができる。
【００７１】
また、制御部８０は、排水口１６ａに排水口カバー１６が配置されていないことを検知した場合は、切断部３０を停止状態にして動作しないようにするため、排水口１６ａに排水口カバー１６が配置されていない状態で切断部３０が動作して、切断された異物が浴室１０内に飛散するのを抑制することができる。
【００７２】
また、散水口２１ｄからオゾン水をケーシング２１内に散水することにより、ケーシング２１内を洗浄しつつ、ケーシング２１内に付着した水と異物を、切断部３０を介して下流側排水管１９に洗い流すことができ、洗浄部２０の洗浄効果を高めることができる。
【００７３】
また、平面視において上面回転刃３３ａは上方固定刃３６に対して傾斜させて設けられており、上面回転刃３３ａは上方固定刃３６と平面視において交差する際に、上方固定刃３６に対して鋭角に交差するようになっているため、異物を切断しやすく、駆動モータ３１、上面回転刃３３ａ、および上方固定刃３６の負荷を軽減でき、それらの寿命を長くすることができる。
【００７４】
また、正面視において側方固定刃３８は側面回転刃３３ｂに対して傾斜させて設けられており、側面回転刃３３ｂは側方固定刃３８と正面視において交差する際に、側方固定刃３８に対して鋭角に交差するようになっているため、異物を切断しやすく、駆動モータ３１、側面回転刃３３ｂ、および側方固定刃３８の負荷を軽減でき、それらの寿命を長くすることができる。
【符号の説明】
【００７５】
１０  浴室、１１  浴槽、１２  （洗い場の）床、１３  シャワー、１４  側壁面、１５  出入口ドア、１６  排水口カバー、１６ａ  排水口、１７  風呂栓、１７ａ  排水口、１８  浴槽側排水管、１９  下流側排水管、１９ａ  トラップ、２０  洗浄部、２１  ケーシング、２１ａ  第一開口部、２１ｂ  第二開口部、２１ｃ  第三開口部、２１ｄ  散水口、２２  誘導板、３０  切断部、３１  駆動モータ、３２  回転板、３３  回転刃、３３ａ  上面回転刃、３３ｂ  側面回転刃、３４  底板、３５  上方捕集部、３６  上方固定刃、３６ａ  上方開口部、３７  側方捕集部、３８  側方固定刃、３８ａ  側方開口部、４０  散水部、４１  オゾン水生成手段、５０  操作部、５１  報知手段、６０  ドア開閉検知手段、７０  排水口カバー検知手段、８０  制御部、８１  通信部、８２  検知部、８３  記憶部、８４  切断制御部、８５  散水制御部。
【図１】
0006261488.tif 000002
【図２】
0006261488.tif 000003
【図３】
0006261488.tif 000004
【図４】
0006261488.tif 000005
【図５】
0006261488.tif 000006
【図６】
0006261488.tif 000007
【図７】
0006261488.tif 000008
【図８】
0006261488.tif 000009
【図９】
0006261488.tif 000010
【図１０】
0006261488.tif 000011
【図１１】
0006261488.tif 000012